(57)【要約】【課題】立ち上げ時に電気駆動式小型循環ブロワを使用することなく、定常運転で使用する、蒸気タービン駆動の循環ブロワにより立ち上げることができるＣＤＱの循環送風方法及び設備が簡素化された循環送風システムを提供すること。【解決手段】ＣＤＱ本体１に装入された赤熱コークスと前記ＣＤＱ本体１の下方から導入される不活性ガスとを熱交換して、熱交換後の不活性ガスの顕熱をボイラ４で回収するとともに、ボイラ４の顕熱回収により冷却された不活性ガスを循環ブロワ５により再度ＣＤＱ本体１へ導入して循環させるＣＤＱの循環送風方法において、前記循環ブロワ５を駆動する駆動源を蒸気とし、ＣＤＱの立ち上げ時には蒸気を別途設けた蒸気供給源１８から導入し、ＣＤＱの立ち上げ完了後は蒸気をボイラ４からの蒸気管１３から分岐させたバイパス管１７から導入する。【選択図】　　図１
2004075743.tif 000002
【特許請求の範囲】
【請求項１】
ＣＤＱ本体に装入された赤熱コークスと前記ＣＤＱ本体の下方から導入される不活性ガスとを熱交換して、熱交換後の不活性ガスの顕熱をボイラで回収するとともに、ボイラの顕熱回収により冷却された不活性ガスを循環ブロワにより再度ＣＤＱ本体へ導入して循環させるＣＤＱの循環送風方法において、
前記循環ブロワを駆動する駆動源を蒸気とし、ＣＤＱの立ち上げ時には蒸気を別途設けた蒸気供給源から導入し、ＣＤＱの立ち上げ完了後は蒸気をボイラからの蒸気管から分岐させたバイパス管から導入することを特徴とするＣＤＱの循環送風方法。
【請求項２】
ＣＤＱ本体に装入された赤熱コークスと前記ＣＤＱ本体の下方から導入される不活性ガスとを熱交換して、熱交換後の不活性ガスの顕熱をボイラで回収するとともに、ボイラの顕熱回収により冷却された不活性ガスを循環ブロワにより再度ＣＤＱ本体へ導入して循環させるＣＤＱの循環送風システムにおいて、
循環ブロワ駆動用の蒸気タービンに蒸気を供給するバイパス管を前記ボイラからの蒸気管から分岐させ、かつ別途設けた蒸気供給源から蒸気を供給する蒸気供給管を前記蒸気管に接続したことを特徴とするＣＤＱの循環送風システム。
【発明の詳細な説明】
【０００１】
【発明が属する技術分野】
本発明は、コークス乾式消火設備（Ｃｏｋｅ　Ｄｒｙ　Ｑｕｅｎｃｈｅｒ　本明細書ではＣＤＱという）の循環ガスの循環システムにおいて、循環ブロワの駆動源として、ボイラにて発生する蒸気と蒸気供給源から供給される蒸気を切り替えて使用する、蒸気駆動によるＣＤＱの循環送風方法およびそのシステムに関する。
【０００２】
【従来の技術】
ＣＤＱでは、赤熱コークスをＣＤＱ本体のプレチャンバーに装入し冷却室に下降させ、冷却室内へ供給した冷却ガスである不活性ガスを赤熱コークスと熱交換させ、赤熱コークスの熱を回収した高温の不活性ガスをボイラーに導入して熱交換した後、循環ブロワで再度冷却室へ圧送して循環させるようなっている。ボイラーで熱交換により得られた蒸気は発電機に送られ電気エネルギーとして回収される。
【０００３】
不活性ガスを圧送する循環ブロワを駆動させるために、例えば、特開昭５７−１９００７９号公報に記載されているように、ボイラーで発生する蒸気の一部を利用した蒸気タービンが利用されている。立ち上げ時には、蒸気タービンを駆動する蒸気が得られないので、別途設けた小型モーターで駆動する電気駆動式小型循環ブロワにより送風し、蒸気が所定量発生するようになると循環ブロワを蒸気タービンで駆動して運転する。
【０００４】
【発明が解決しようとする課題】
しかしながら、蒸気タービンで駆動する循環ブロワを採用する場合、立ち上げ時に蒸気が所定量発生するまでは、電気駆動式小型循環ブロワで不活性ガスを圧送する設備が必要となり、システムが複雑となる問題があった。
【０００５】
そこで、本発明が解決しようとする課題は、立ち上げ時に電気駆動式小型循環ブロワを使用することなく、定常運転で使用する、蒸気タービン駆動の循環ブロワにより立ち上げることができるＣＤＱの循環送風方法及び設備が簡素化された循環送風システムを提供することにある。
【０００６】
【課題を解決するための手段】
本発明のＣＤＱの循環送風方法は、ＣＤＱ本体に装入された赤熱コークスと前記ＣＤＱ本体の下方から導入される不活性ガスとを熱交換して、熱交換後の不活性ガスの顕熱をボイラで回収するとともに、ボイラの顕熱回収により冷却された不活性ガスを循環ブロワにより再度ＣＤＱ本体へ導入して循環させるＣＤＱの循環送風方法において、前記循環ブロワを駆動する駆動源を蒸気とし、ＣＤＱの立ち上げ時には蒸気を別途設けた蒸気供給源から導入し、ＣＤＱの立ち上げ完了後は蒸気をボイラからの蒸気管に設けたバイパス管から導入することを特徴とする。
【０００７】
また、本発明のＣＤＱの循環送風システムは、ＣＤＱ本体に装入された赤熱コークスと前記ＣＤＱ本体の下方から導入される不活性ガスとを熱交換して、熱交換後の不活性ガスの顕熱をボイラで回収するとともに、ボイラの顕熱回収により冷却された不活性ガスを循環ブロワにより再度ＣＤＱ本体へ導入して循環させるＣＤＱの循環送風システムにおいて、循環ブロワ駆動用の蒸気タービンに蒸気を供給するバイパス管を前記ボイラからの蒸気管から分岐させ、かつ別途設けた蒸気供給源から蒸気を供給する蒸気供給管を前記蒸気管に接続したことを特徴とする。
【０００８】
【発明実施の形態】
図１は本発明のＣＤＱの循環送風システムの一例を示すフロー図である。赤熱コークスを装入して冷却ガスである不活性ガスと熱交換して冷却するＣＤＱ本体１の上部は、除塵器２を備えた排気ダクト３によりボイラ４に接続されている。さらにボイラ４は循環ブロワ５を介して循環ダクト６，７によりＣＤＱ本体１の下部に接続されている。この接続によりＣＤＱ本体１内で赤熱コークスと熱交換された高温の不活性ガスはＣＤＱ本体１から排気され、排気ダクト２を経てボイラ４に導入されて熱交換により冷却されて循環ブロワ５により循環ダクト６，７を経てＣＤＱ本体１に導入される、不活性ガス循環経路が形成される。
【０００９】
ボイラ４には伝熱管８が設けられ、伝熱管８にはタンク９に接続された送水管１０，１１から送水ポンプ１２により水が供給される。伝熱管８に流入した水は、ＣＤＱ本体１から排出してボイラ４に導入された高温の不活性ガスにより熱交換されて蒸気となり、蒸気は伝熱管８に接続された蒸気管１３を経て発電設備１４に送られ、発電設備１４を出た蒸気は復水器１５で復水されてタンク９に流入する。
【００１０】
循環ブロワ５は、蒸気タービン１６により駆動させる。蒸気タービン１６は、蒸気管１３から分岐させたバイパス管１７を経て供給される蒸気によって駆動させる。
【００１１】
蒸気管１３には、ＣＤＱ本体１の立ち上げ時に循環ブロワ５を駆動させる蒸気タービン１６に蒸気を供給するため、別の蒸気供給源１８に開閉弁１９を備えた蒸気供給管２０が接続されている。蒸気供給管２０は蒸気供給源１８からバイパス管１７に蒸気を供給するために、蒸気管１３のボイラ４側に設けられた切替弁２１と発電設備１４側に設けられた遮断弁２２との間に接続する。また、蒸気管１３には切替弁２１とボイラ４側の間に、蒸気を放散するため、放散弁２３を備えた放散管２４を接続する。
【００１２】
循環ブロワ５を駆動する蒸気タービン１６を出た低圧の蒸気は、低圧蒸気管２５により原料乾燥装置２６に送って原料の乾燥に利用され冷却されて水となり、水はタンク９に戻される。
【００１３】
次に本発明のＣＤＱの操業について説明する。ＣＤＱの立ち上げ時には、蒸気管１３の切替弁２１と遮断弁２２を閉にし、放散弁２３を開にする。その後、蒸気供給管２０の開閉弁１９を開にすると、蒸気供給源１８から蒸気が蒸気供給管２０、蒸気管１３、バイパス管１７を通って蒸気タービン１６を駆動し、蒸気タービン１６を出た低圧の蒸気は冷却されて水となってタンク９に戻され、タンク９から送水管１０，１１を経て伝熱管８に導入された水は蒸気となって蒸気管１３を経て放散管２４から放散される。
【００１４】
こうして立ち上げ時には、蒸気供給源１８からの蒸気の供給により蒸気タービン１６を駆動して循環ブロワ５を回転させることにより不活性ガスがＣＤＱ本体１に送り込まれ、赤熱コークスと熱交換された不活性ガスはＣＤＱ本体１から排気され、排気ダクト３を経てボイラ４に導入されて熱交換により冷却されて循環ブロワ５により循環ダクト６，７を経てＣＤＱ本体１に導入される。　図２は蒸気上昇温度と時間の関係を示すグラフである。循環ブロワにより不活性ガスが不活性ガス循環経路の循環を重ねていくにつれて、不活性ガスの温度が上昇し、図２のグラフが示すように、蒸気温度も時間とともに上昇し、不活性ガスの温度が約８００℃になると、伝熱管８から発生する蒸気温度が上昇し、蒸気タービン１６および発電設備１４に必要な蒸気量が発生する。この時点で、蒸気管１３の切替弁２１と遮断弁２２を開にし、放散弁２３を閉にし、蒸気供給管２０の開閉弁１９を閉にすると、伝熱管８の蒸気は、蒸気管１３を通って発電設備１４に流れ、一部がバイパス管１７を通って蒸気タービン１６を駆動させ、循環ブロワ５を回転させて不活性ガスを循環させる。
【００１５】
【発明の効果】
立ち上げ時と立ち上げ完了後の定常運転時の循環ブロワを１台共用とするので、立ち上げ専用の循環ブロワが不要となり、従来に比べて設備が簡素化される。
【図面の簡単な説明】
【図１】本発明のＣＤＱの循環送風システムの一例を示すフロー図である。
【図２】蒸気上昇温度と時間の関係を示すグラフである。
【符号の説明】
１　ＣＤＱ本体
２　除塵器
３　排気ダクト
４　ボイラ
５　循環ブロワ
６，７　循環ダクト
８　伝熱管
９　タンク
１０，１１　送水管
１２　送水ポンプ
１３　蒸気管
１４　発電設備
１５　復水器
１６　蒸気タービン
１７　バイパス管
１８　蒸気供給源
１９　開閉弁
２０　蒸気供給管
２１　切替弁
２２　遮断弁
２３　放散弁
２４　放散管
２５　低圧蒸気管
２６　原料乾燥装置
【図１】
2004075743.tif 000003
【図２】
2004075743.tif 000004
【手続補正書】
【提出日】平成15年7月4日(2003.7.4)
【手続補正１】
【補正対象書類名】明細書
【補正対象項目名】００１４
【補正方法】変更
【補正の内容】
【００１４】
こうして立ち上げ時には、蒸気供給源１８からの蒸気の供給により蒸気タービン１６を駆動して循環ブロワ５を回転させることにより不活性ガスがＣＤＱ本体１に送り込まれ、赤熱コークスと熱交換された不活性ガスはＣＤＱ本体１から排気され、排気ダクト３を経てボイラ４に導入されて熱交換により冷却されて循環ブロワ５により循環ダクト６，７を経てＣＤＱ本体１に導入される。図２は不活性ガス温度上昇と時間の関係を示すグラフである。循環ブロワにより不活性ガスが不活性ガス循環経路の循環を重ねていくにつれて、不活性ガスの温度が上昇し、図２のグラフが示すように、蒸気温度も時間とともに上昇し、不活性ガスの温度が約８００℃になると、伝熱管８から発生する蒸気温度が上昇し、蒸気タービン１６および発電設備１４に必要な蒸気量が発生する。この時点で、蒸気管１３の切替弁２１と遮断弁２２を開にし、放散弁２３を閉にし、蒸気供給管２０の開閉弁１９を閉にすると、伝熱管８の蒸気は、蒸気管１３を通って発電設備１４に流れ、一部がバイパス管１７を通って蒸気タービン１６を駆動させ、循環ブロワ５を回転させて不活性ガスを循環させる。


【手続補正２】
【補正対象書類名】明細書
【補正対象項目名】図面の簡単な説明
【補正方法】変更
【補正の内容】
【図面の簡単な説明】
【図１】本発明のＣＤＱの循環送風システムの一例を示すフロー図である。
【図２】不活性ガス温度上昇と時間の関係を示すグラフである。